(57)【特許請求の範囲】
【請求項１】
筒状の本体（１）と、
前記本体（１）にセット内蔵された冷凍剤（１９）と、
前記冷凍剤（１９）がセット内蔵されている前記本体（１）が固定的に収納された開閉蓋（４１）を有するボックス（２３）と、
前記本体（１）における一方の送風穴（９）を介して前記冷凍剤（１９）に空気を送風するファン電源（３７）を含むファン（３１）と、
前記本体（１）における他方の送風穴（９）を介して前記冷凍剤（１９）により冷却された冷風を送風する冷風送風管（４９）と
前記冷凍剤（１９）がセット内蔵されている前記本体（１）が固定的に収納された開閉蓋（４１）を有するボックス（２３）及び前記ファン電源（３７）を含むファン（３１）が収納された保冷用バック（５１）
を備え、
前記本体（１）は、上本体部（２）と下本体部（３）での軸心方向に着脱可能な２分割構造にして、前記上本体部（２）の相対向する両側面壁（４）、（５）の中央部位には送風用切欠部（６）が形成され、前記下本体部（３）の相対向する両側面壁（７）、（８）の中央部には該側面壁（７）、（８）と一体にやや上部に延設され、かつその中心に送風穴（９）を有する前記切欠部（６）と一体的に接合する突出接続部（１０）と、該突出接続部（１０）と段部を介して一体にして前記側面壁（７）、（８）の外側面の上下方向に形成された前記送風穴（９）と連通する送風穴（１１）を有する接続部（１２）が設けられるとともに、前記上下本体部（２）、（３）内はそれぞれ複数の仕切壁（１３）を介して複数の冷凍剤収納室（１４）に区画形成されて、前記各仕切壁（１３）の自由端には、前記送風穴（９）、（１１）と連通する送風用切欠部（１５）が形成され、さらに、前記上下の各冷凍剤収納室（１４）の内面壁の横方向には、間隔を有して二つの片寄り防止部（１６）が設けられるとともに、前記上下の各仕切壁（１３）と前記両側面壁（４）、（５）の縦方向には間隔を有し、かつ前記送風用切欠部（６）に向け放射状にそれぞれテーパー面（１７）を有する複数の片寄り防止部（１８）が設けられて構成され、
前記ボックス（２３）は、一側面が開口した筒状体であって、その開口部を除いた全外周には断熱材（２８）が装着されるとともに、閉塞面壁の中央内側には前記本体（１）における前記送風穴（９）、（１１）、（１５）と連通するテーパー付送風穴（２４）を有するゴムパッキン装着突出部（２５）が一体に膨出形成されて、該ゴムパッキン装着突出部（２５）には、前記突出接続部（１０）と密接するゴムパッキン（２７）が装着されて構成され、
前記ボックス（２３）の開口部を開閉する前記開閉蓋（４１）は、その中央内側に前記本体（１）における前記送風穴（９）、（１１）、（１５）と連通するテーパー付送風穴（４４）を有するゴムパッキン装着突出部（４５）が一体に膨出形成されて、該ゴムパッキン装着突出部（４５）には、前記突出接続部（１０）と密接するゴムパッキン（４６）が装着されるとともに、その外側には中央部に冷風送風管挿通穴（４７）を有する断熱材（４８）が装着されて構成され、
前記ファン（３１）は、送風管（３２）を有し、該送風管（３２）の先端テーパー部（３３）は前記断熱材（２８）の送風管挿通穴（３０）を介して前記テーパー付送風穴（２４）に嵌めこまれて、ファン部が前記ファン電源（３７）とともに、前記ボックス（２３）の閉塞側の外側に設けられた設置ボックス（３５）内に取り付けられ、
前記冷風送風管（４９）は、その先端テーパー部（５０）が前記断熱材（４８）の送風管挿通穴（４７）を介して前記ゴムパッキン装着突出部（４５）の前記テーパー付送風穴（２４）に嵌めこまれ、かつ任意の方向に向けることが可能として取り付けられ、
前記保冷用バック（５１）は、手提げや肩掛け用のベルト（５９）を有し、かつチャック（５３）によって底部分（５４）を除いて開閉可能とされ、前記冷風送風管（４９）は保冷用バック（５１）の穴（５５）から出されてバック側面に沿い上方に向けられ、不使用時においては、前記冷風送風管（４９）の立ち上がり部分が、バック側面に面状チャック（５６）により着脱可能として取り付けられた保護カバー（５７）によって起立状に保持され、使用時においては、前記保護カバー（５７）が取り外されて、前記冷風送風管（４９）が任意の方向に向けられて使用されるように構成されていることを特徴とする携帯用の冷風発生装置。
【請求項２】
前記ボックス（２３）内に挿入される前記筒状の本体（１）は、一体的に重合された一個用容器ユニット（６０）と複数用容器ユニット（６５）およびこれら容器ユニット（６０）、（６５）を閉塞状に収納固着している容器ユニット収納庫（７３）の二重構造であって、
前記一個用容器ユニット（６０）は、一方の面が開口され、かつ他方の閉塞面壁（６１）の中央部に送風穴（６２）を有する断面コ字形の冷凍剤収納容器（６３）と、該冷凍剤収納容器（６３）の内周壁にして、かつ前記送風穴（６２）に向け放射状に設けられた長短複数のテーパー部付の片寄り防止部（６４）を含み、
前記複数用容器ユニット（６５）は、一方の面が開口され、かつ他方の閉塞面壁（６６）の中央部に送風穴（６７）を有する断面コ字形の冷凍剤収納容器（６８）と、該冷凍剤収納容器（６８）の内周壁と前記閉塞面壁（６６）にして、かつ前記送風穴（６７）に向け放射状に設けられた長短複数のテーパー部付の片寄り防止部（６９）を含み、
前記一個用容器ユニット（６０）または前記複数用容器ユニット（６５）の開口部を閉塞する開閉蓋（７０）は、その中央部に、前記一個用容器ユニット（６０）と前記複数用容器ユニット（６５）の前記中央送風穴（６２）、（６７）と適合する送風穴（７１）を有するとともに、その片面には、長短複数のテーパー部付の片寄り防止部（７２）が設けられ、
前記一個用容器ユニット（６０）と前記複数用容器ユニット（６５）が一体的に重合して収納される前記容器ユニット収納庫（７３）は、その閉塞面壁の中央に前記各容器ユニット（６０）、（６５）の前記送風穴（６２）、（６７）と適合し、かつ前記ファン（３１）の前記送風管（３３）と連通する送風穴（７４）を有するとともに、閉塞面壁の内側には前記送風穴（７４）を中心として送風穴（７５）を有するパッキン（７６）が固着され、さらに、開口側外周端縁にはネジ部（７７）が設けられ、内外壁の長手方向にはそれぞれ間隔を有して交互に複数の突起部（７８）が設けられて構成され、
前記容器ユニット収納庫（７３）の開口部を閉塞するネジ蓋（７９）は、断面略コ字形であって、その閉塞面壁の中央に前記各容器ユニット（６０）、（６５）の前記送風穴（６２）、（６７）と適合し、かつ前記冷風送風管（４９）と連通する前記送風穴（８０）を有するとともに、閉塞面壁の内側には前記送風穴（８０）を中心として送風穴（８１）を有するパッキン（８２）が固着され、さらに、内周面壁には前記容器ユニット収納庫（７３）の前記ネジ部（７７）と螺合するネジ部（８３）が設けられて構成されていることを特徴とする請求項１の携帯用の冷風発生装置。
【発明の詳細な説明】
【技術分野】
【０００１】
本発明は、猛暑のなか冷房のない部屋や屋外で過ごす場合、更には病院等において氷または冷凍剤を用いて身体を部分的に冷やす場合等において用いられる携帯用の冷風発生装置に関し、さらには、本発明装置と公知の冷凍機をセットにし、夜間の電力で冷凍剤を冷凍し、昼間はこの冷凍剤を用いて冷風を作り、この冷風を冷房に供するようにした携帯用の冷風発生装置に関するものである。
【背景技術】
【０００２】
従来、真夏の屋外競技場等において観客は体温の上昇を防ぐため、うちは、携帯の扇風機又は冷凍帯、ひんやりシート等を使用していた。また、病院等で患者の患部を部分的に冷やすために、氷のうを用いていた。
【０００３】
しかし、真夏は温度がもともと高いために、うちはや扇風機等では満足すべき冷風感を得ることができない。また、患者の患部を部分的に氷のうで冷やす場合において、氷のうでは患部のどこの部位でも、またどんな角度でも自在に連続的に冷やすことは困難である。
【発明の開示】
【発明が解決しようとする課題】
【０００４】
本発明が解決しようとする問題点は、真夏の屋外における冷房として、うちはや携帯の扇風機等では満足すべき冷風感が得られないいという点である。
【０００５】
また、病院等において、患者の患部を部分的に氷のうで冷やすには、患部のどこの部位でもどん角度でも自在に連続的に冷やすことができないという点である。
【０００６】
したがって、本発明の目的は、温度の高い真夏の屋外においても満足すべき冷風感が得られ、また、病院等において患者のどこの患部でも、またどの角度においても患部を連続的に冷やすことができる持ち運びが便利な携帯用の冷風発生装置を提供することにある。
【０００７】
この目的のため、本発明の請求項1に記載の携帯用の冷風発生装置は、  筒状の本体１と、
前記本体１にセット内蔵された冷凍剤１９と、
前記冷凍剤１９がセット内蔵されている前記本体１が固定的に収納された開閉蓋４１を有するボックス２３と、
前記本体１における一方の送風穴９を介して前記冷凍剤１９に空気を送風するファン電源３７を含むファン３１と、
前記本体１における他方の送風穴９を介して前記冷凍剤１９により冷却された冷風を送風する冷風送風管４９と
前記冷凍剤１９がセット内蔵されている前記本体１が固定的に収納された開閉蓋４１を有するボックス２３及び前記ファン電源３７を含むファン３１が収納された保冷用バック５１
を備え、
前記本体１は、上本体部２と下本体部３での軸心方向に着脱可能な２分割構造にして、前記上本体部２の相対向する両側面壁４、５の中央部位には送風用切欠部６が形成され、前記下本体部３の相対向する両側面壁７、８の中央部には該側面壁７、８と一体にやや上部に延設され、かつその中心に送風穴９を有する前記切欠部６と一体的に接合する突出接続部１０と、該突出接続部１０と段部を介して一体にして前記側面壁７、８の外側面の上下方向に形成された前記送風穴９と連通する送風穴１１を有する接続部１２が設けられるとともに、前記上下本体部２、３内はそれぞれ複数の仕切壁１３を介して複数の冷凍剤収納室１４に区画形成されて、前記各仕切壁１３の自由端には、前記送風穴９、１１と連通する送風用切欠部１５が形成され、さらに、前記上下の各冷凍剤収納室１４の内面壁の横方向には、間隔を有して二つの片寄り防止部１６が設けられるとともに、前記上下の各仕切壁１３と前記両側面壁４、５の縦方向には間隔を有し、かつ前記送風用切欠部６に向け放射状にそれぞれテーパー面１７を有する複数の片寄り防止部１８が設けられて構成され、
前記ボックス２３は、一側面が開口した筒状体であって、その開口部を除いた全外周には断熱材２８が装着されるとともに、閉塞面壁の中央内側には前記本体１における前記送風穴９、１１、１５と連通するテーパー付送風穴２４を有するゴムパッキン装着突出部２５が一体に膨出形成されて、該ゴムパッキン装着突出部２５には、前記突出接続部１０と密接するゴムパッキン２７が装着されて構成され、
前記ボックス２３の開口部を開閉する前記開閉蓋４１は、その中央内側に前記本体１における前記送風穴９、１１、１５と連通するテーパー付送風穴４４を有するゴムパッキン装着突出部４５が一体に膨出形成されて、該ゴムパッキン装着突出部４５には、前記突出接続部１０と密接するゴムパッキン４６が装着されるとともに、その外側には中央部に冷風送風管挿通穴４７を有する断熱材４８が装着されて構成され、
前記ファン３１は、送風管３２を有し、該送風管３２の先端テーパー部３３は前記断熱材２８の送風管挿通穴３０を介して前記テーパー付送風穴２４に嵌めこまれて、ファン部が前記ファン電源３７とともに、前記ボックス２３の閉塞側の外側に設けられた設置ボックス３５内に取り付けられ、
前記冷風送風管４９は、その先端テーパー部５０が前記断熱材４８の送風管挿通穴４７を介して前記ゴムパッキン装着突出部４５の前記テーパー付送風穴２４に嵌めこまれ、かつ任意の方向に向けることが可能として取り付けられ、
前記保冷用バック５１は、手提げや肩掛け用のベルト５９を有し、かつチャック５３によって底部分５４を除いて開閉可能とされ、前記冷風送風管４９は前記保冷用バック５１の穴５５から出されてバック側面に沿い上方に向けられ、不使用時においては、冷風送風管４９の立ち上がり部分が、バック側面に面状チャック５６により着脱可能として取り付けられた保護カバー５７によって起立状に保持され、使用時においては、前記保護カバー５７が取り外されて、前記冷風送風管４９が任意の方向に向けられて使用されるように構成されていることを特徴とするものである。
【０００８】
本発明の請求項２に記載の携帯用の冷風発生装置は、前記ボックス２３内に挿入される前記筒状の本体１は、一体的に重合された一個用容器ユニット６０と複数用容器ユニット６５およびこれら容器ユニット６０、６５を閉塞状に収納固着している容器ユニット収納庫７３の二重構造であって、
前記一個用容器ユニット６０は、一方の面が開口され、かつ他方の閉塞面壁６１の中央部に送風穴６２を有する断面コ字形の冷凍剤収納容器６３と、該冷凍剤収納容器６３の内周壁にして、かつ前記送風穴６２に向け放射状に設けられた長短複数のテーパー部付の片寄り防止部６４を含み、
前記複数用容器ユニット６５は、一方の面が開口され、かつ他方の閉塞面壁６６の中央部に送風穴６７を有する断面コ字形の冷凍剤収納容器６８と、該冷凍剤収納容器６８の内周壁と前記閉塞面壁６６にして、かつ前記送風穴６７に向け放射状に設けられた長短複数のテーパー部付の片寄り防止部６９を含み、
前記一個用容器ユニット６０または前記複数用容器ユニット６５の開口部を閉塞する開閉蓋７０は、その中央部に、前記一個用容器ユニット６０と前記複数用容器ユニット６５の前記中央送風穴６２、６７と適合する送風穴７１を有するとともに、その片面には、長短複数のテーパー部付の片寄り防止部７２が設けられ、
前記一個用容器ユニット６０と前記複数用容器ユニット６５が一体的に重合して収納される前記容器ユニット収納庫７３は、その閉塞面壁の中央に前記各容器ユニット６０、６５の前記送風穴６２、６７と適合し、かつ前記ファン３１の前記送風管３３と連通する送風穴７４を有するとともに、閉塞面壁の内側には前記送風穴７４を中心として送風穴７５を有するパッキン７６が固着され、さらに、開口側外周端縁にはネジ部７７が設けられ、内外壁の長手方向にはそれぞれ間隔を有して交互に複数の突起部７８が設けられて構成され、
前記容器ユニット収納庫７３の開口部を閉塞するネジ蓋７９は、断面略コ字形であって、その閉塞面壁の中央に前記各容器ユニット６０、６５の前記送風穴６２、６７と適合し、かつ前記冷風送風管４９と連通する前記送風穴８０を有するとともに、閉塞面壁の内側には前記送風穴８０を中心として送風穴８１を有するパッキン８２が固着され、さらに、内周面壁には前記容器ユニット収納庫７３の前記ネジ部７７と螺合するネジ部８３が設けられて構成されていることを特徴とするものである。
【発明の効果】
【０００９】
請求項1に記載の発明によれば、ファンにより本体内に送風された空気が本体内にセット収納されている冷凍剤によって冷風化され、これが冷風送風管を介して冷房に供されるものであるから、真夏の屋外においても満足すべき冷風感が得られる。
【００１０】
また、冷凍剤は夜間の電力を使って冷凍庫で冷凍され、昼間冷房として本体内にセット収納されて使用さるものであるから、経済性に優れる。
【００１１】
また、装置全体の小型化が可能で、かつ携帯用であるから、使用上において至便である。
【００１２】
また、請求項１に記載の発明によれば、各仕切壁の送風穴から吹き込まれた空気は放射状に広がって規則正しく各冷凍剤の全表面を無駄なく流れて冷風化されるものであるから、冷風化効果が高く、長時間に亘り満足すべき冷風感が得られる。
【００１３】
また、本体は、軸心方向に着脱可能な２分割構造となっているから、冷凍剤の収納と取り出しを極めて簡単に行うことができる。
【００１４】
また、各冷凍剤収納室内にそれぞれ冷凍剤がセット収納された場合に、冷凍剤の両面と各仕切り壁及び両側面壁との間に常に均等な空間部が維持されて風の流れが良好となり、送風された空気が冷凍剤の全表面を効果的に流れて効率的に冷却される。
【００１５】
また、請求項２に記載の発明によれば、本体が一体的に重合された複数の容器ユニットと、該複数の容器ユニットを閉塞状に収納固着している容器ユニット収納庫の二重構造として構成されているから、本体が変形又は損傷等した場合においては本体の全部を交換することなく、変形又は損傷した部所だけを交換すればよく、経済性に優れる。
【００１６】
また、本発明に係る携帯用の冷風発生装置は、ベビーカーに付設して子供に涼しさを与えることができる。真夏の炎天下歩き移動時に大人の上半身辺りの気温と舗装されている道路の地面近くの温度とは数度の温度差があり、ベビーカーの子供は地面に近い位置を移動していることになり、脱水症を引き起こす危険がある。
【００１７】
そこで、本携帯用の冷風発生装置により、ベビーカーの敷物等の中に冷風を通して用いれば体温上昇を防ぐことになり、脱水症予防等に効果的となる。理想的にはベビーカーを被って小さな部屋を形成し、その部屋内に冷風を循環させるようにすることが望ましい。
【発明を実施するための最良の形態】
【００１８】
本発明に係る携帯用の冷風発生装置は、筒状の本体内に冷凍した単一の冷凍剤がセット内蔵され、または送風穴を有する仕切壁を介して複数の冷凍剤収納室に区画形成された本体の各収納室内に冷凍された冷凍剤がそれぞれセット内蔵され、冷凍剤の一方の面側より空気が強制的に送風されて、この空気が冷凍剤により冷却され、この冷却された空気が冷凍剤の他方の面側より冷風として導出されるものである。
【００１９】
また、筒状の本体は、軸心方向(長手方向)に着脱可能の２分割構造とされて、冷凍剤の出し入れが容易になし得るようになっている。
【００２０】
また、筒状の本体は、一体的に重合された複数の容器ユニットと、該複数の容器ユニットを閉塞状に収納固着している容器ユニット収納庫の二重構造となっており、容器ユニットが損傷等した場合には、この損傷等した一部の容器ユニットだけの交換で済むようになっている。
【００２１】
以下、本発明の具体的な実施例を図面に基づきその作用と共に説明する。
【００２２】
図１は、本発明に係る携帯用の冷風発生装置の一例での一部を断面し、かつ省略して示す正面図、図２は、図１の右側部分の拡大図、図３は、図１の左側部分の拡大図、図４は、図１における上本体部と下本体部の２分割分離状態を示す正面図、図５は、本体部分を断面して示す正面図、図６は、図４の６方向から見た端面図、図７は、図５における本体の冷凍剤収納室を示す一部断面の側面図、図８は、図１の８−８線に沿った拡大断面図、図９は、開閉蓋の側面図、図１０は、図１の１０−１０線に沿った拡大断面図である。
【００２３】
これら図において、本携帯用の冷風発生装置は本体１を備えている。
【００２４】
本体１は、好ましくは、硬質樹脂製での成形品であって全体横長の筒状を呈し、図２および図４に示されているように、上本体部２と下本体部３での着脱可能な２分割構造となっている。
【００２５】
本体１は上下本体部２、３の合体により一体的に形成されるが、この合体のため、上本体部２の相対向する両側面壁４、５の中央部には切欠部６が形成され、下本体部３の相対向する両側面壁７、８の中央部には側面壁７、８と一体にやや上部に延設され、かつその中心に送風穴９を有する切欠部６と一体的に接合する突出接続部１０と、該突出接続部１０と段部を介して一体にして側面壁７、８の外側面の上下方向に形成された送風穴９と連通する外向きハ字状の送風穴１１を有する接続部１２が設けられている。
【００２６】
なお、冷風を得るための冷凍剤が１個でよい場合には、本体１の構造は上記の構造でよいが、冷凍剤を複数個用いる場合には、本体１内は各仕切壁を介して複数の冷凍剤収納室に区画されている。
【００２７】
すなわち、上下本体部２、３内はそれぞれ複数の仕切壁１３を介して複数の冷凍剤収納室１４に区画形成され、各仕切壁１３の自由端である下端(下本体部３においては上端)には、送風穴９、１１と連通する送風用切欠部１５が形成されている。
【００２８】
また、上下本体部２、３における各冷凍剤収納室１４の上部(下本体部３においては下部)内面壁の横方向二箇所には、間隔を有して二つの片寄り防止部１６が設けられるとともに、各冷凍剤収納室１４を形成する各仕切壁１３と両側面壁４、５(下本体部３にあっては両側面壁７、８)の縦方向には間隔を有して、送風用切欠部６(下本体部３においては送風穴９)に向け放射状にそれぞれテーパー面１７を有する三つの片寄り防止部１８が設けられている。
【００２９】
なお、片寄り防止部１６、１８は、各冷凍剤収納室１４内にそれぞれ冷凍剤１９がセット収納された場合に、冷凍剤１９の両面と各仕切り壁１３及び両側面壁４、５(７、８)との間に常に均等な空間部２０が維持されて風の流れが良好となり、送風された空気が効率的に冷却されるようにしたものである。
【００３０】
また、片寄り防止部１８のテーパー面１７は、冷凍剤収納室１４内に冷凍剤１９を収納する場合において、そのガイドとなってスムーズにして、かつ損傷等を与えることなく、安全、容易に収納し得るようにしたものである。
【００３１】
なお、図示の実施例において、片寄り防止部1６、１８は上下本体部２、３を合わせて１２個所に設けられているが、これに限定されず、その数は適宜である。
【００３２】
そして、下本体部３の各冷凍剤収納室１４内にそれぞれ冷凍された冷凍剤１９が上方からセット収納され、上本体部２がその送風用切欠部６と下本体部３の突出接続部１０との嵌合による上下本体部２、３の分割端面の接合をもって一体的に合体され、この合体により上下の送風用切欠部１５、１５によって各仕切壁１３の中心部に送風穴が形成される。
【００３３】
そして、この合体状態を維持するため、本体１の外周三個所において、ゴムまたは螺旋状スプリングのワッカ２１が巻着されている。
【００３４】
なお、上下本体部２、３の外周にはずれ防止突起部２２が設けられ、これら二つのずれ防止突起部２２、２２間にそれぞれのワッカ２１が巻着されて、各ワッカ２１がずれないようになっている。
【００３５】
各冷凍剤収納室１４内にセット収納される冷凍剤１９は、ナイロンフィルム等の袋にゼリー状の冷凍剤が密閉された公知のものであって、この冷凍剤は、好ましくは冷凍庫において夜間の電力で凍らせて使用される。
【００３６】
以上のようにして、各冷凍剤収納室１４内にそれぞれ冷凍剤１９がセット収納され、上下本体部２、３が接合合体されて複数のワッカ２１により巻着された本体１はボックス２３内に固定的に収納される。
【００３７】
ボックス２３は、好ましくは硬質合成樹脂材による一体成形品として得られるもので、一側面が開口した筒状体であって、その閉塞面壁の中央内側には、本体１における送風穴９、１１、１５と連通するテーパー付送風穴２４を有するゴムパッキン装着突出部２５が一体に膨出形成されるとともに、開口側端縁外周には突起部２６が一体に周設されている。
【００３８】
ボックス２３のゴムパッキン装着突出部２５には厚板のゴムパッキン２７が固定的に装着されるとともに、外周全体には断面方形多角形状の断熱材２８がその開口側先端２９を突起部２６に押し当て、かつ閉塞面壁中央部に設けられた送風管挿通穴３０をゴムパッキン装着突出部２５と略適合させ、送風管挿通穴３０がテーパー付送風穴２４と送風穴９、１１、１５とに連通した状態で外装着されている。
【００３９】
断熱材２８の閉塞面壁の外側には、本体１内の冷凍剤１９に空気を送るためのファン３１が設けられている。
【００４０】
ファン３１は、送風管３２を有し、その先端テーパー部３３が断熱材２８の送風管挿通穴３０を介してゴムパッキン装着突出部２５のテーパー付送風穴２４に嵌めこまれ、そのファン部が取付部材３４を介して両面開口の設置ボックス３５の天井に取り付けられている。
【００４１】
設置ボックス３５は、その略中央部内周に補強鍔部３６を一体に有し、この補強鍔部３６が断熱材２８の閉塞面壁に押し付けられて断熱材２８に強固に外挿着されている。
【００４２】
設置ボックス３５内の底面上には、バッテリ等のファン電源３７が設けられ、ファン電源３７は電気配線３８を介してファン部と電気接続され、ファン電源３７のオン(ＯＮ)、（ＯＦＦ）オフにより送風し、送風を停止するようになっている。
【００４３】
なお、ゴムパッキン２７が設けられているのは、本体１の突出接続部１０との接触面で送風漏れを防止し、かつ後述の本体１がボックス２３に内挿される場合において、両者の衝撃を和らげるためである。
【００４４】
また、ファン３１、ファン電源３７が断熱材２８を介してボックス２３の外側に配設したのは、本体１に対するファン３１、ファン電源３７からの発生熱の伝導を可能な限り防ぐためである。
【００４５】
設置ボックス３５におけるファン３１、ファン電源３７側の開口部は、その中央部の上下二個所に通気口３９を有する開閉蓋４０によって閉塞されている。
【００４６】
各冷凍剤１９がセット収納された本体１が、その接続部１２をゴムパッキン２７に当接させてボックス２３内に固定的に挿入された後、ボックス２３の開口部には開閉蓋４１が密閉的に嵌合される。
【００４７】
開閉蓋４１は、外向き鍔部４２、凹陥部４３を有し、かつ凹陥部４３の中央内側には本体１における送風穴９、１１、１５と連通するテーパー付送風穴４４を有するゴムパッキン装着突出部４５が一体に膨出形成されており、ゴムパッキン装着突出部４５には厚板のゴムパッキン４６が固定的に装着されるとともに、凹陥部４３には中央部に冷風送風管挿通穴４７を有する断熱材４８が充填されている。
【００４８】
開閉蓋４１は、そのゴムパッキン４６を本体１の接続部１２に当接させ、かつ冷風送風管挿通穴４７がテーパー付送風穴４４と送風穴９、１１、１５とに連通した状態で凹陥部４３がボックス２３の開口部に密閉的に嵌合されて取り付けられている。
【００４９】
なお、ゴムパッキン４６が設けられているのは、ゴムパッキン２７の場合と同様に、本体１の突出接続部１０との接触面で送風漏れを防止し、かつ開閉蓋４１がボックス２３内に嵌合される場合において、両者の衝撃を和らげるためである。
【００５０】
ゴムパッキン装着突出部４５のテーパー付送風穴４４には、断熱材４８の冷風送風管挿通穴４７を介して冷風送風管４９の先端テーパー部５０が嵌め込まれている。
【００５１】
このように構成された本携帯用の冷風発生装置は、ファン３１の駆動により空気が送風管３３、先端テーパー部３２、送風穴９、１１、１５を通って本体１内の冷凍剤収納室１４内の空間部２０に流れて、冷凍剤１９により冷風化され、この冷風化された冷気は仕切壁１３の送風用切欠部１５、１５で形成の送風穴を通って順次に各冷凍剤収納室１４内の各空間部２０を流れて、セット収納の冷凍剤１９によってさらに冷風化され、最終的に冷風化された冷気は、送風穴９、１１より冷風送風管４９を通って外部に導出され、使用者の冷房に供される。
【００５２】
このようにして冷風は得られるが、上記構成の本装置は図１１に例示されているように、保冷用バック５１に納められて携帯用として用いられる。
【００５３】
保冷用バック５１は、その全体が保冷用生地ではなく、ファン３１側における開閉蓋４０の通気口３９の周りは部分的に通気性を考慮した生地が用いられ、ファン３１、ファン電源３７側には通気口５２が設けられている。そして、この保冷バック５１はチャック５３によって底部分５４を除いて開閉可能となっており、本体１内の冷凍剤１９等が交換される場合には、保冷バック５１が開放されることにより、開閉蓋４１が挿脱されて本体１がボックス２３内から挿脱されて冷凍剤１９等の交換ができるようになっている。
【００５４】
また、冷風送風管４９は保冷用バック５１の穴５５から出されてバック側面に沿い上方に向けられ、不使用時においては、冷風送風管４９の立ち上がり部分が、バック側面に面状チャック５６により着脱可能として取り付けの保護カバー５７、５８によって起立状に保持され、使用時においては、保護カバー５７、５８が取り外されて、冷風送風管４９が任意の方向に向けることができるようになっている。
【００５５】
また、保冷用バック５１にはベルト５９が取り付けられており、このベルト５９によって手提げや肩掛けが可能となっている。
【００５６】
図１３から図１９は、本発明の他例を示したもので、本例は、本体１が一体的に重合された複数の容器ユニットと、該複数の容器ユニットを閉塞状に収納固着している容器ユニット収納庫の二重構造としたもので、本例によれば、本体１が変形又は損傷等した場合において、本体１の全部を交換することなく、変形又は損傷した部所だけを交換すればよく、経済性に優れるものである。
【００５７】
図１３において、断面円形の容器ユニットは、一個用容器ユニットと複数用容器ユニットを含み、これら容器ユニットは好ましくは、硬質合性樹脂材による一体成形品として得られる。
【００５８】
一個用容器ユニット６０は、図１３、図１４及び図１７に示されているように、一方の面が開口され、かつ他方の閉塞面壁６１の中央部に送風穴６２を有する断面コ字形の冷凍剤収納容器６３と、該冷凍剤収納容器６３の内周壁にして、かつ送風穴６２に向け放射状に設けられた長短複数のテーパー部付の片寄り防止部６４と、これら片寄り防止部６４により容器壁面との間に均等な空間が維持されるようにしてセット収納された冷凍剤１９とを含むものである。
【００５９】
また、複数用容器ユニット６５は、図１３、図１５及び図１７に示されているように、一方の面が開口され、かつ他方の閉塞面壁６６の中央部に送風穴６７を有する断面コ字形の冷凍剤収納容器６８と、該冷凍剤収納容器６８の内周壁と閉塞面壁６６にして、かつ送風穴６７に向け放射状に設けられた長短複数のテーパー部付の片寄り防止部６９これら片寄り防止部６９により容器壁面との間に均等な空間が維持されるようにしてセット収納された冷凍剤１９とを含むものである。
【００６０】
図１６及び図１７は、一個用容器ユニット６０又は複数用容器ユニット６５の開口部を閉塞する開閉蓋７０の正面図で、この開閉蓋７０はその中央部に、一個用容器ユニット６０と複数用容器ユニット６５の中央送風穴６２、６７と適合する送風穴７１を有するとともに、その片面には、一個用容器ユニット６０と複数用容器ユニット６５と同様に長短複数のテーパー部付の片寄り防止部７２が設けられている。
【００６１】
そして、冷凍剤１９が一個だけ用いられる場合には、一個用容器ユニット６０内に冷凍剤１９がセット収納されて、容器ユニット６０の開口側に開閉蓋７０がその片面に突設されている長短の片寄り防止部７２が嵌め込まれることによって取り付けられる。
【００６２】
冷凍剤１９が複数個用いられる場合には、先ず、一個用容器ユニット６０が用いられ、これが上向きに据え置かれてこれに冷凍剤１９がセット収納される。
【００６３】
次いで、二個目からは複数用容器ユニット６５が用いられて、この複数用容器ユニット６５内に冷凍剤１９がセット収納され、複数容器ユニット６５の外側に設けられている複数の片寄り防止部６９が一個用容器ユニット６０内に嵌め込まれて、複数用容器ユニット６５が一個用容器ユニット６０の蓋となる。
【００６４】
次いで、同様にして順次に複数用容器ユニット６５が連結され、最後には一個用容器ユニット６０が用いられ、この一個用容器ユニット６０の開口側に開閉蓋７０の外側に設けられている複数の片寄り防止部７２が嵌め込まれることによって開閉蓋７０が取り付けられる。
【００６５】
このようにして、所要数の容器ユニットの連結が完全に終わった後、これら容器ユニットは容器ユニット収納庫７３内に収納される。
【００６６】
容器ユニット収納庫７３は、図１３及び図１９に示されているように、その閉塞面壁の中央に各容器ユニット６０、６５の送風穴６２、６７と適合する送風穴７４を有するとともに、閉塞面壁の内側には送風穴７４を中心として送風穴７５を有するパッキン７６が固着され、さらに、開口側外周端縁にはネジ部７７が設けられ、内外壁の長手方向にはそれぞれ間隔を有して交互に複数の突起部７８が設けられている。
【００６７】
そして、連結を完了して上向きに据え置かれた容器ユニット６０、６５と開閉蓋７０に容器ユニット収納庫７３が上方より、そのパッキン７６が最上の開閉蓋７０に当接するまで被せられると、容器ユニット６０、６５と開閉蓋７０は内面壁の突起部７８との接触によって容器ユニット収納庫７３内に完全に安定的に収納される。
【００６８】
このようにして、上方より容器ユニット収納庫７３が被せられ、次いで、容器ユニット収納庫７３は若干傾けられ、これに手を添えながら全体が横にされて容器ユニット収納庫７３の開口側にネジ蓋７９が取り付けられる。
【００６９】
ネジ蓋７９は、図１３及び図２０に示されているように、断面略コ字形であって、その閉塞面壁の中央に各容器ユニット６０、６５の送風穴６２、６７と適合する送風穴８０を有するとともに、閉塞面壁の内側には送風穴８０を中心として送風穴８１を有するパッキン８２が固着され、さらに、内周面壁には容器ユニット収納庫７３のネジ部７７と螺合するネジ部８３が設けられている。
【００７０】
ネジ蓋７９は、容器ユニット収納庫７３のネジ部７７に対するネジ部８３の螺合により、かつパッキン８２を一個用容器ユニット６０の容器閉塞面壁６１に当接させて取り付けられている。
【００７１】
このように構成された本体１は、図１に示されている本体１に代えてボックス２３内に、外面壁の突起部７８との接触によって安定的に収納され、ファン３１の駆動により空気が送風管３３、先端テーパー部３２、送風穴７４、７５、７１を通って一個用容器ユニット６０の冷凍剤収納容器６３内の空間部に流れて、セット収納されている冷凍剤１９により冷風化され、この冷風化された冷気は送風穴６２から次の複数用容器ユニット６５の冷凍剤収納容器６８内の空間部を流れてセット収納されている冷凍剤１９により冷やされ、以下順次に送風穴６７を通って複数用容器ユニット６５、一個用容器ユニット６０の各空間部を流れて、それぞれにセット収納の冷凍剤１９によってさらに冷風化され、最終的に冷風化された冷気は、送風穴６７、８１、８０より冷風送風管４９を通って外部に導出され、使用者の冷房に供される。
【図面の簡単な説明】
【００７２】
【図１】本発明に係る携帯用の冷風発生装置の一例での一部を断面し、かつ省略して示す正面図である。
【図２】図１の右部分の部分拡大図である。
【図３】図１の左部分の部分拡大図である。
【図４】図１における上本体部と下本体部の２分割分離状態を示す正面図である。
【図５】本体部分を断面して示す正面図である。
【図６】図４の６方向から見た端面図である。
【図７】図５における本体の冷凍剤収納室を示す一部断面の側面図である。
【図８】図１の８−８線に沿った拡大断面図である。
【図９】開閉蓋の側面図である。
【図１０】図１の１０−１０線に沿った拡大断面図である。
【図１１】本発明に係る携帯用の冷風発生装置の概略斜視図である。
【図１２】図１１における部分拡大図である。
【図１３】本冷風発生装置における本体の他例を示す断面図である。
【図１４】図１３における一個用容器ユニットの拡大正面図である。
【図１５】図１３における複数用容器ユニットの拡大正面図である。
【図１６】一個用容器ユニットと複数用容器ユニットの平面図である。
【図１７】図１３における開閉蓋の拡大正面図である。
【図１８】開閉蓋の裏面側からの平面図である。
【図１９】容器ユニット収納庫に対する容器ユニットの収納状態を示す一部断面の側面図である。
【図２０】図１３における開閉蓋の拡大断面図である。
【符号の説明】
【００７３】
１    本体
２    上本体部
３    下本体部
４、５、７、８ 側面壁
６    切欠部
９    送風穴
１０    突出接続部
１１    送風穴
１２    接続部
１３    仕切壁
１４    冷凍剤収納室
１５    送風用切欠部
１６、１８    片寄り防止部
１７ テーパー面
１９    冷凍剤
２０    空間部
２１    ワッカ
２２    ずれ防止突起部
２３    ボックス
２４    テーパー付送風穴
２５    ゴムパッキン装着突出部
２６    突起部
２７    ゴムパッキン
２８    断熱材
３０    送風管挿通穴
３１    ファン
３２    送風管
３５    設置ボックス
３６    補強鍔部
３７    電源
３８    電気配線
３９    通気口
４０、４１    開閉蓋
４４    テーパー付送風孔
４５    ゴムパッキン装着突出部
４６    ゴムパッキン
４７    冷風送風管挿通穴
４８    断熱材
４９    冷風送風管
５１    保冷バック
５２    通気口
５３    チャック
５４    底部分
５６ 面状チャック
５７、５８ 保護カバー
５９    ベルト
６０    一個用容器ユニット
６１、６６    閉塞面壁
６２、６７    送風穴
６３、６８    冷凍剤収納容器
６４、６９    片寄り防止部
６５    複数用容器ユニット
７０    開閉蓋
７１    送風穴
７２    片寄り防止部
７３    容器ユニット収納庫
７４、７５    送風穴
７６    パッキン
７８    突起部
７９    ネジ蓋
８０、８１    送風穴
８２    パッキン
【図１】
0004231026.tif 000002
【図２】
0004231026.tif 000003
【図３】
0004231026.tif 000004
【図４】
0004231026.tif 000005
【図５】
0004231026.tif 000006
【図６】
0004231026.tif 000007
【図７】
0004231026.tif 000008
【図８】
0004231026.tif 000009
【図９】
0004231026.tif 000010
【図１０】
0004231026.tif 000011
【図１１】
0004231026.tif 000012
【図１２】
0004231026.tif 000013
【図１３】
0004231026.tif 000014
【図１４】
0004231026.tif 000015
【図１５】
0004231026.tif 000016
【図１６】
0004231026.tif 000017
【図１７】
0004231026.tif 000018
【図１８】
0004231026.tif 000019
【図１９】
0004231026.tif 000020
【図２０】
0004231026.tif 000021